(57)【要約】【課題】上下方向に装置を大型化させることなく、前面側から光源ランプの交換が可能な背面投射型映像装置を提供する。【解決手段】背面投射型映像装置１は、光源ランプを有するランプカートリッジ１０を備える。光源ランプからの光を、反射及び透過の少なくとも一方を行って光を照射する光学ユニット２０を備える。光学ユニット２０から照射された光に基づく画像が結像するスクリーン３０を備える。ランプカートリッジ１０、光学ユニット２０、及びスクリーン３０を上下方向に移動可能な状態で保持する保持部５０を備える。ランプカートリッジ１０、光学ユニット２０、及びスクリーン３０を上方に移動することにより、ランプカートリッジ１０を取り出し不可能な第１状態から、下側から取り出し可能な第２状態に切り替えられる。【選択図】図１
2007264015.tif 000002
【特許請求の範囲】
【請求項１】
光源ランプを有するランプカートリッジと、
前記光源ランプからの光を、反射及び透過の少なくとも一方を行って光を照射する光学ユニットと、
前記光学ユニットから照射された光に基づく画像が結像するスクリーンと、
前記光学ユニット、及びスクリーンを上下方向に移動可能な状態で保持する保持部とを備え、
前記光学ユニット、及びスクリーンを上下方向の一方に移動することにより、前記ランプカートリッジを取り出し不可能な第１状態から、前記上下方向の他方から取り出し可能な第２状態に切り替えられることを特徴とする背面投射型映像装置。
【請求項２】
前記光源ランプの温度、及び前記光源ランプの点灯状態の少なくとも一方を検知する検知手段を更に備えることを特徴とする請求項１に記載の背面投射型映像装置。
【請求項３】
前記光源ランプの温度が閾値よりも高い場合、又は前記光源ランプが点灯中の場合に、前記光学ユニット、及びスクリーンの移動を禁止する旨の警告メッセージを前記スクリーンに表示させる制御部を更に備えることを特徴とする請求項２に記載の背面投射型映像装置。
【請求項４】
前記第１状態にある前記光学ユニット、及びスクリーンの移動を禁止するロック機構と、
前記光源ランプの温度が閾値よりも高い場合、又は前記光源ランプが点灯状態の場合に、前記ロック機構をロック状態にする制御部とを更に備えることを特徴とする請求項２に記載の背面投射型映像装置。
【請求項５】
前記保持部は、前記光学ユニット、及びスクリーンを上下に移動させる駆動手段を有することを特徴とする請求項１に記載の背面投射型映像装置。
【請求項６】
前記保持部は、前記ランプカートリッジを、前記光学ユニット、及びスクリーンと共に上下方向に移動可能な状態で保持することを特徴とする請求項１に記載の背面投写型映像装置。
【請求項７】
前記保持部は、前記ランプカートリッジを保持する第１保持部を有し、
前記第１保持部は、前記ランプカートリッジを移動しない状態で保持することを特徴とする請求項１に記載の背面投写型映像装置。
【請求項８】
前記保持部は、前記ランプカートリッジを保持する第１保持部を有し、
前記第１保持部は、前記ランプカートリッジを前記光学ユニット、及びスクリーンの上下方向の移動と逆方向に移動可能な状態で保持することを特徴とする請求項１に記載の背面投写型映像装置。
【請求項９】
前記第１状態において、前記ランプカートリッジは、前記スクリーンの背面に位置し、前記スクリーンの前方から見えない位置関係にあることを特徴とする請求項１に記載の背面投写型映像装置。
【請求項１０】
前記第１状態において、前記スクリーンのスクリーン枠を越えた上下方向に部品を構成しないことを特徴とする請求項９に記載の背面投写型映像装置。
【発明の詳細な説明】
【技術分野】
【０００１】
本発明は、背面投写型映像装置に関し、特にスクリーンを移動させて前面側から光源ランプの交換が可能な背面投射型映像装置に関する。
【背景技術】
【０００２】
従来、背面投射型映像装置が提案されている。
【０００３】
背面投写型映像装置は、光源ランプを定期的に交換する必要がある。特許文献１は、スクリーンに対して斜め下後方に光源ランプを設置できるように光学系を配置し、スクリーン下にある前面パネルから光源ランプの交換が可能な背面投射型映像装置を開示する。
【特許文献１】特開平９−９８３５８号公報
【発明の開示】
【発明が解決しようとする課題】
【０００４】
しかし、特許文献１の装置は、背面から光源ランプを交換できるタイプに比べて、光源ランプの交換時の操作性は向上するが、上下方向に装置が大型化する。
【０００５】
したがって本発明の目的は、上下方向に装置を大型化させることなく、前面側から光源ランプの交換が可能な背面投射型映像装置を提供することである。
【課題を解決するための手段】
【０００６】
本発明に係る背面投射型映像装置は、光源ランプを有するランプカートリッジと、光源ランプからの光を、反射及び透過の少なくとも一方を行って光を照射する光学ユニットと、光学ユニットから照射された光に基づく画像が結像するスクリーンと、光学ユニット、及びスクリーンを上下方向に移動可能な状態で保持する保持部とを備え、光学ユニット、及びスクリーンを上下方向の一方に移動することにより、ランプカートリッジを取り出し不可能な第１状態から、上下方向の他方から取り出し可能な第２状態に切り替えられる。
【０００７】
好ましくは、光源ランプの温度、及び光源ランプの点灯状態の少なくとも一方を検知する検知手段を更に備える。
【０００８】
さらに好ましくは、光源ランプの温度が閾値よりも高い場合、又は光源ランプが点灯中の場合に、光学ユニット、及びスクリーンの移動を禁止する旨の警告メッセージをスクリーンに表示させる制御部を更に備える。
【０００９】
また、好ましくは、第１状態にある光学ユニット、及びスクリーンの移動を禁止するロック機構と、光源ランプの温度が閾値よりも高い場合、又は光源ランプが点灯状態の場合に、ロック機構をロック状態にする制御部とを更に備える。
【００１０】
また、好ましくは、保持部は、光学ユニット、及びスクリーンを上下に移動させる駆動手段を有する。
【００１１】
また、好ましくは、保持部は、ランプカートリッジを、光学ユニット、及びスクリーンと共に上下方向に移動可能な状態で保持する。
【００１２】
また、好ましくは、保持部は、ランプカートリッジを保持する第１保持部を有し、第１保持部は、ランプカートリッジを移動しない状態で保持する。
【００１３】
また、好ましくは、保持部は、ランプカートリッジを保持する第１保持部を有し、第１保持部は、ランプカートリッジを光学ユニット、及びスクリーンの上下方向の移動と逆方向に移動可能な状態で保持する。
【００１４】
また、好ましくは、第１状態において、ランプカートリッジは、スクリーンの背面に位置し、スクリーンの前方から見えない位置関係にある。
【００１５】
さらに好ましくは、第１状態において、スクリーンのスクリーン枠を越えた上下方向に部品を構成しない。
【発明の効果】
【００１６】
以上のように本発明によれば、上下方向に装置を大型化させることなく、前面側から光源ランプの交換が可能な背面投射型映像装置を提供することができる。
【発明を実施するための最良の形態】
【００１７】
以下、第１実施形態について、図を用いて説明する。第１実施形態における背面投射型映像装置１は、ランプカートリッジ１０、光学ユニット２０、スクリーン３０、スクリーン枠４０、及び保持部５０を備える。なお、方向を説明するために、背面投射型映像装置１においてランプカートリッジ１０から光学ユニット２０に向けて照射される光の方向（水平方向）を第１方向ｘ、第１方向ｘと直交する鉛直方向を第２方向ｙ、第１方向ｘ、第２方向ｙと垂直な水平方向を第３方向ｚとして説明する。
【００１８】
ランプカートリッジ１０は、光源ランプを有し、第１状態において光学ユニット２０に、光を照射する。ランプカートリッジ１０は、光源ランプの交換などのために、取り外し可能な状態で保持部５０に取り付けられる。ランプカートリッジ１０は、スクリーン３０等の第２方向ｙの移動に伴って、上下方向すなわち第２方向ｙに移動可能である。
【００１９】
光学ユニット２０は画像形成装置としての液晶パネルと、液晶パネルに表示された画像をスクリーン３０上で結像させるための結像光学系（集光レンズや反射ミラー）を有し、光源ランプから照射された光であって液晶パネルを透過した光は、集光レンズや反射ミラーを介してスクリーン３０に照射される。
【００２０】
第１実施形態では、透過型液晶を使った画像形成装置の形態を説明するが、ＤＭＤ（Ｄｉｇｉｔａｌ  Ｍｉｃｒｏｍｉｒｒｏｒ  Ｄｅｖｉｃｅ）を使った反射による画像形成装置であってもよい。
【００２１】
スクリーン３０は、半透明の材料から形成されており、光学ユニット２０からの画像が投影され、スクリーン３０上に画像が形成される。スクリーン枠４０は、スクリーン３０の周囲に取り付けられた枠である。
【００２２】
保持部５０は、ランプカートリッジ１０、光学ユニット２０、スクリーン３０、及びスクリーン枠４０を上下方向すなわち第２方向ｙに移動可能で保持する。
【００２３】
ランプカートリッジ１０、光学ユニット２０、スクリーン３０、及びスクリーン枠４０の上下方向の移動により、ランプカートリッジ１０を背面投射型映像装置１の下側から取り出し不可能な第１状態（下）と、ランプカートリッジ１０を背面投射型映像装置１の下側から取り出し可能な第２状態（上）とが切り替えられる。
【００２４】
スクリーン３０に画像を投影するなどの通常使用時、保持部５０は、ランプカートリッジ１０、光学ユニット２０、スクリーン３０、及びスクリーン枠４０を、第１状態で保持する（図２〜図４参照）。このとき、背面投射型映像装置１のランプカートリッジ１０がある部分の下には、ランプカートリッジ１０を取り出すことが出来る程度の空間を有しない。
【００２５】
ランプカートリッジ１０を交換する時、保持部５０は、ランプカートリッジ１０、光学ユニット２０、スクリーン３０、及びスクリーン枠４０を、第２状態で保持する（図１、５〜７参照）。このとき、背面投射型映像装置１のランプカートリッジ１０がある部分の下には、ランプカートリッジ１０を取り出すことが出来る程度の空間が形成される。
【００２６】
第２状態において、背面投射型映像装置１のランプカートリッジ１０がある部分の下の蓋１５をはずすことにより、背面投射型映像装置１の下側からランプカートリッジ１０が取り外し可能な状態にされる。
【００２７】
第１状態から第２状態への移行の際のランプカートリッジ１０、光学ユニット２０、スクリーン３０、及びスクリーン枠４０の移動は、いずれも保持部５０が有するモータなど駆動装置による電動で行われるが、使用者による手動で行われても良い。
【００２８】
第１状態において、ランプカートリッジ１０、及び光学ユニット２０は、第１方向に並べて配置される。第１状態では、ランプカートリッジ１０は、スクリーン３０の背面（後ろ側）に位置し、背面投射型映像装置１のランプカートリッジ１０がある部分の下には、ランプカートリッジ１０を取り出すことが出来る程度の空間を有しない。そのため、ランプカートリッジ１０を背面投射型映像装置１から取り出すことは出来ない。
【００２９】
第２状態では、ランプカートリッジ１０、光学ユニット２０、スクリーン３０、及びスクリーン枠４０が第２方向ｙで且つ上方に移動せしめられるため、スクリーン３０の背面（後ろ側）に位置するが、背面投射型映像装置１のランプカートリッジ１０がある部分の下には、ランプカートリッジ１０を取り出すことが出来る程度の空間が形成される。そのため、使用者は、前面側（スクリーン３０の映像を見る側）から手を出して、背面投射型映像装置１の下側の蓋１５を外して、ランプカートリッジ１０を背面投射型映像装置１から取り出すことが出来る。
【００３０】
第１実施形態では、第２状態において、ランプカートリッジ１０を、前面側（スクリーン３０の映像を見る側）から脱着可能であるため、背面側から脱着する仕様で作業者が背面側に回り込む必要がある背面投射型映像装置に比べて作業効率が良いメリットを有する。
【００３１】
また、通常使用時には、スクリーン３０、及びスクリーン枠４０は第２方向ｙ下方に位置し、ランプカートリッジ１０は、スクリーン３０、及びスクリーン枠４０の後方に隠れる位置関係にある。すなわち、第１実施形態における背面投写型映像装置１は、スクリーン枠４０を越えた上下方向に部品を構成しない。このため、ランプカートリッジ１０がスクリーン３０、及びスクリーン枠４０の斜め上後方や斜め下後方に配置される場合に比べて、背面投射型映像装置１を第２方向ｙに大型化しないで済むメリットを有する。
【００３２】
次に、第２実施形態について説明する。
【００３３】
第１実施形態における背面投射型映像装置１は、ランプカートリッジ１０、光学ユニット２０、スクリーン３０、スクリーン枠４０、及び保持部５０を備える（図８〜図１６参照）。
【００３４】
ランプカートリッジ１０は、光源ランプを有し、第１状態において光学ユニット２０に、光を照射する。ランプカートリッジ１０は、光源ランプの交換などのために、取り外し可能な状態で保持部５０の第１保持部５１に取り付けられる。ランプカートリッジ１０は、スクリーン３０等の第２方向ｙの移動に伴って、上下方向すなわち第２方向ｙに移動しない。
【００３５】
光学ユニット２０、スクリーン３０、及びスクリーン枠４０は第１実施形態の光学ユニット２０、スクリーン３０、及びスクリーン枠４０と同じである。
【００３６】
保持部５０は、第１、第２保持部５１、５２を有する。第１保持部５１は、ランプカートリッジ１０を、上下方向に移動しない状態で保持する。第２保持部５２は、光学ユニット２０、スクリーン３０、及びスクリーン枠４０（第１保持部５１とランプカートリッジ１０以外の部分）を上下方向すなわち第２方向ｙに移動可能な状態で保持する。
【００３７】
ランプカートリッジ１０と第１保持部５１を除く部分、すなわち光学ユニット２０、スクリーン３０、及びスクリーン枠４０の上下方向の移動により、ランプカートリッジ１０を背面投射型映像装置１の下側から取り出し不可能な第１状態（下）と、ランプカートリッジ１０を背面投射型映像装置の下側から取り出し可能な第２状態（上）とが切り替えられる。
【００３８】
スクリーン３０に画像を投影するなどの通常使用時、第２保持部５２は、光学ユニット２０、スクリーン３０、及びスクリーン枠４０を、第１状態で保持する（図８〜図１０、図１４参照）。このとき、背面投射型映像装置１のランプカートリッジ１０がある部分の下には、ランプカートリッジ１０を取り出すことが出来る程度の空間を有しない。
【００３９】
ランプカートリッジ１０を交換する時、第２保持部５２は、光学ユニット２０、スクリーン３０、及びスクリーン枠４０を、第２状態で保持する（図１１〜図１３、図１５、図１６参照）。このとき、背面投射型映像装置１のランプカートリッジ１０は、第１保持部５１によって、背面投写型映像装置１の下部で保持される。背面投写型映像装置１の下部には、ランプカートリッジ１０を取り出すことが出来る程度の空間が形成される。
【００４０】
第２状態において、背面投射型映像装置１のランプカートリッジ１０と第１保持部５１の間に取り付けられたネジ１６を外すことにより、背面投射型映像装置１の下側からランプカートリッジ１０が取り外し可能な状態にされる。
【００４１】
第１状態から第２状態への移行の際の光学ユニット２０、スクリーン３０、及びスクリーン枠４０の移動、いずれも保持部５０（第２保持部５２）が有するモータなど駆動装置による電動で行われるが、使用者による手動で行われても良い。
【００４２】
第１状態において、ランプカートリッジ１０、及び光学ユニット２０は、第１方向ｘに並べて配置される。第１状態では、ランプカートリッジ１０は、スクリーン３０の背面（後ろ側）に位置し、背面投射型映像装置１のランプカートリッジ１０がある部分の下には、ランプカートリッジ１０を取り出すことが出来る程度の空間を有しない。そのため、ランプカートリッジ１０を背面投射型映像装置１から取り出すことは出来ない。
【００４３】
第２状態では、光学ユニット２０、スクリーン３０、及びスクリーン枠４０が第２方向ｙで且つ上方に移動せしめられ、ランプカートリッジ１０は上方に移動せず背面投写型映像装置１の下方で保持されるため、背面投射型映像装置１のランプカートリッジ１０がある部分の下には、ランプカートリッジ１０を取り出すことが出来る程度の空間が形成される。そのため、使用者は、前面側（スクリーン３０の映像を見る側）から手を出して、第１保持部５１とランプカートリッジ１０の間のネジ１６を外して、ランプカートリッジ１０を背面投射型映像装置１から取り出すことが出来る。
【００４４】
第２実施形態では、第２状態において、ランプカートリッジ１０を、前面側（スクリーン３０の映像を見る側）から脱着可能であるため、背面側から脱着する仕様で作業者が背面側に回り込む必要がある背面投射型映像装置に比べて作業効率が良いメリットを有する。
【００４５】
また、通常使用時には、スクリーン３０、及びスクリーン枠４０は第２方向ｙ下方に位置し、ランプカートリッジ１０は、スクリーン３０、及びスクリーン枠４０の後方に隠れる位置関係にある。すなわち、第２実施形態における背面投写型映像装置１は、スクリーン枠４０を越えた上下方向に部品を構成しない。このため、ランプカートリッジ１０がスクリーン３０、及びスクリーン枠４０の斜め上後方や斜め下後方に配置される場合に比べて、背面投射型映像装置１を第２方向ｙに大型化しないで済むメリットを有する。
【００４６】
なお、第２実施形態では、第１保持部５１はランプカートリッジ１０を移動しない状態で保持する形態を説明したが、（スクリーン３０の移動方向と逆の）下方に移動可能な状態で保持してもよい。この場合、第１状態から第２状態への移行期間または第２状態においてランプカートリッジ１０が、背面投写型映像装置１の下方に電動又は手動で移動せしめられる（図１１〜図１３、図１５、図１６参照）。
【００４７】
なお、ランプカートリッジ１０が有する光源ランプが長時間使用された直後である等、高温状態である場合、ランプカートリッジ１０が有する光源ランプが点灯中である場合には、ランプカートリッジ１０の脱着を禁止する手段を備えても良い。この場合、背面投射側映像装置１は、光源ランプの温度や光源ランプの点灯状態を検知する温度検出手段と、光源ランプの温度が閾値よりも高い場合や光源ランプが点灯中の場合に保持部５０の移動を禁止する旨の警告メッセージをスクリーン３０に表示させる制御部を更に備える。警告メッセージを見て使用者は、ランプカートリッジ１０の取り外しが出来る状態か否かを判断することが可能になる。
【００４８】
また、警告メッセージの表示ではなく、保持部５０を第１状態から第２状態に移行できないように保持するロック機構を設けても良い。また、第１状態から第２状態への移行の際のスクリーン３０等の移動をモータなどによる電動で行う場合には、制御部が電動による移動を禁止する制御を行う形態でもよい。
【００４９】
また、第１保持部５１がスクリーン３０の移動方向と逆方向に移動可能な状態でランプカートリッジ１０を保持する場合には、ランプカートリッジ１０が移動できないように保持するロック機構を設けても良い。さらに、ランプカートリッジ１０の移動をモータなどによる電動で行う場合には、制御部が電動による移動を禁止する制御を行う形態でもよい。
【００５０】
第１状態から第２状態に移行する際、スクリーン３０等が第２方向ｙで且つ上方に移動する形態を説明したが、下方に移動する形態でもよい。
【図面の簡単な説明】
【００５１】
【図１】第１実施形態における背面投射型映像装置の第２状態を示す斜視図である。
【図２】第１実施形態の第１状態における背面投射型映像装置のランプカートリッジ側から見た断面図である。
【図３】第１実施形態の第１状態における背面投射型映像装置のスクリーン側から見た正面図である。
【図４】第１実施形態の第１状態における背面投写型映像装置の光学ユニット側から見た断面図である。
【図５】第１実施形態の第２状態における背面投写型映像装置のランプカートリッジ側から見た断面図である。
【図６】第１実施形態の第２状態における背面投射型映像装置のスクリーン側から見た正面図である。
【図７】第１実施形態の第２状態における背面投射型映像装置のランプカートリッジ側から見た断面図で、ランプカートリッジを取り外した状態を示す。
【図８】第２実施形態の第１状態における背面投射型映像装置のランプカートリッジ側から見た断面図である。
【図９】第２実施形態の第１状態における背面投射型映像装置のスクリーン側から見た正面図である。
【図１０】第２実施形態の第１状態における背面投写型映像装置の光学ユニット側から見た断面図である。
【図１１】第２実施形態の第２状態における背面投写型映像装置のランプカートリッジ側から見た断面図である。
【図１２】第２実施形態の第２状態における背面投射型映像装置のスクリーン側から見た正面図である。
【図１３】第２実施形態の第２状態においてランプカートリッジを取り外した状態の背面投写型映像装置のランプカートリッジ側から見た断面図である。
【図１４】第２実施形態における背面投射型映像装置の第１状態を示す斜視図である。
【図１５】第２実施形態における背面投射型映像装置の第２状態を示す斜視図である。
【図１６】第２実施形態における背面投射型映像装置の第２状態でランプカートリッジを取り外した状態を示す斜視図である。
【符号の説明】
【００５２】
１  背面投射型映像装置
１０  ランプカートリッジ
２０  光学ユニット
３０  スクリーン
４０  スクリーン枠
５０  保持部
【図１】
2007264015.tif 000003
【図２】
2007264015.tif 000004
【図３】
2007264015.tif 000005
【図４】
2007264015.tif 000006
【図５】
2007264015.tif 000007
【図６】
2007264015.tif 000008
【図７】
2007264015.tif 000009
【図８】
2007264015.tif 000010
【図９】
2007264015.tif 000011
【図１０】
2007264015.tif 000012
【図１１】
2007264015.tif 000013
【図１２】
2007264015.tif 000014
【図１３】
2007264015.tif 000015
【図１４】
2007264015.tif 000016
【図１５】
2007264015.tif 000017
【図１６】
2007264015.tif 000018